(57)【要約】 【課題】遊技機の改造を行う必要がなく、新台の入れ替えが容易な遊技機の不正開放防止装置を提供する。【解決手段】前面枠の一端が前方に開閉可能に枢着された遊技機の不正開放防止装置において、索条４が捲回されたリール巻取装置１を遊技機の裏面側に配設し、前面枠が開放される側の遊技機の側部には、先端に前面枠当接部２２を有する錠止部材２を前後方向にスライド可能に配設したうえに、この錠止部材２の後端をリール巻取装置１の索条４に接続して、リール巻取装置１の索条４の巻き取りによって錠止部材２を後方にスライドさせて、前面枠当接部２２により前面枠を開放不能に錠止する。【選択図】図１
2010110462.tif 000002
【特許請求の範囲】
【請求項１】
前面枠の一端が前方に開閉可能に枢着された遊技機の不正開放防止装置において、
索条が捲回されたリール巻取装置を遊技機の裏面側に配設し、前面枠が開放される側の遊技機の側部には、先端に前面枠当接部を有する錠止部材を前後方向にスライド可能に配設したうえに、
この錠止部材の後端をリール巻取装置の索条に接続して、リール巻取装置の索条の巻き取りによって錠止部材を後方にスライドさせて、前面枠当接部が前面枠を開放不能に錠止するようにしたことを特徴とする遊技機の不正開放防止装置。
【請求項２】
リール巻取装置を遊技機裏面の遊技機島枠に設けるとともに、錠止部材を遊技機間の台間柱を貫通させて設けた請求項１に記載の遊技機の不正開放防止装置。
【請求項３】
錠止部材は、板材の先端を内側に折り曲げて前面枠当接部を設けたＬ字形部材である請求項１または２に記載の遊技機の不正開放防止装置。
【請求項４】
錠止部材は、板材の先端に、ヒンジにより折り畳み可能な前面枠当接部を設けたものである請求項１または２に記載の遊技機の不正開放防止装置。
【発明の詳細な説明】
【技術分野】
【０００１】
本発明は、パチンコ機やパチスロ機などの遊技機において、合鍵等を用いて前面枠を開き、遊技機が不正に改造されるのを防止するための、遊技機の不正開放防止装置に関するものである。
【背景技術】
【０００２】
パチンコ機等の遊技機においては、大当たりの発生回数などの遊技の内容が記憶された遊技基板が内蔵されているが、遊技基板を交換したりして大当たりの発生回数を増大させるなどの不正行為を働く事犯が頻発している。
【０００３】
上記した不正行為を防止するための遊技機の不正開放防止装置として、出願人の出願に係る特許文献１に開示されたものがある。このものは、チェーンやワイヤなどの索条が捲回されたリール巻取装置を台枠に設けたうえに、索条の先端を前面枠の裏側に掛止したものである。リール巻取装置は、リールが索条を捲き取る方向には回転するが、ロック機構により索条を引き出す方向には回転できないように構成されている。したがって、リール巻取装置により索条を捲き取ることによって、前面枠を後方に引っ張り遊技機を閉鎖状態に維持して不正行為を防止することができる。
【０００４】
しかしながら、このような外部から内部に索条を挿入する構造のものにおいては、遊技機設置島に遊技機を設置したあと、遊技盤取付枠の裏側に索条をビス止めする等の作業が必要となり、この作業は遊技機設置島に設置される遊技機を新台に入れ替える度に繰り返しおこなわれ、その都度当該遊技機に索条の付け替え作業を行った旨を遊技機の正規の改造として検査機関に報告し認可してもらう必要があった。
【特許文献１】特許第３０３９７７２号公報    （図１）
【発明の開示】
【発明が解決しようとする課題】
【０００５】
本発明は、上記した従来の問題点に鑑み、遊技機の改造を何ら行う必要がなく、よって改造に伴う認証変更届けを提出する必要がない遊技機の不正開放防止装置を提供するためになされたものである。
【課題を解決するための手段】
【０００６】
本発明の遊技機の不正開放防止装置は、台枠の一方の側部に前面枠が前方に開閉可能に枢着された遊技機の不正開放防止装置において、
索条が捲回されたリール巻取装置を遊技機の裏面側に配設し、前面枠が開放される側の遊技機の側部には、先端に前面枠当接部を有する錠止部材を前後方向にスライド可能に配設したうえに、
この錠止部材の後端をリール巻取装置の索条に接続して、リール巻取装置の索条の巻き取りによって錠止部材を後方にスライドさせて、前面枠当接部が前面枠を開放不能に錠止するようにしたことを特徴とするものである。
【０００７】
上記した発明において、リール巻取装置を遊技機裏面の遊技機島枠に設けるとともに、錠止部材を遊技機間の台間柱を貫通させて設けるのが望ましい。また、錠止部材は、板材の先端を内側に折り曲げて前面枠当接部を設けたＬ字形部材とすることができるし、錠止部材を、板材の先端に、ヒンジにより折り畳み可能な前面枠当接部を設けたものとすることができる。
【発明の効果】
【０００８】
請求項１に係る発明は、索条を捲き取ることによって錠止部材を後方にスライドさせて引っ張るので、前面枠当接部により前面枠を押さえつけて前面枠の不正開放を防止することができる。また、遊技機設置島に設置された遊技機に対して直接的に接続するわけではないため、遊技機自体には何も手を加えなくなり検査機関に対して遊技機の改造に係る認可をとる必要もなくなるという利点がある。
請求項２に係る発明は、不正開放防止装置を島枠と台間柱に支持させるので、遊技機の入れ替えに際して何らの工事を必要とせず、遊技機を容易に入れ替えることができる。
請求項３に係る発明は、板材の先端の折り曲げ部によって前面枠の不正開放を防止することができる。
請求項４に係る発明は、前面枠当接部を折り畳むことによって、従業員が、点検作業で開放された前扉を前面枠当接部に誤衝突させるのを回避して、遊技機の破損を防止することができる。
【発明を実施するための最良の形態】
【０００９】
以下に、本発明の実施形態について説明する。
図１は、本発明の遊技機の不正防止装置の概略構成を説明する図であって、１は電動ロック機構を備えたリール巻取装置、２は錠止部材である。リール巻取装置１は、遊技機島の島枠３にネジ固定されている。このリール巻取装置１から、チェーン、ワイヤ、ワイヤロープなどの索条４が引き出されている。
【００１０】
錠止部材２は図１では板状の主部２１を有し、先端が内向きに直角方向に折り曲げられて前面枠当接部２２が形成されている。錠止部材２は角棒などであってもよく、特に材質、形状は問わないが、容易に変形、破壊されない材質であることが好ましい。この錠止部材２は、図２、３に示すように、前面枠５が開放される側の台間柱（遊技機間の柱）３１を貫通して前後方向にスライド可能に配設されている。錠止部材２の後端はリール巻取装置１の索条４に接続されている。索条４は錠止部材２の後端では、板状の主部２１と同じ方向に伸びて張設されているが、滑車３２により方向転換されてリール巻取装置１に巻き取られる。なお、図２において、７は遊技機本体である。
【００１１】
前面枠当接部２２は、前面枠ロック用の鍵穴を塞ぐように前面枠５に当接されるが、鍵穴の位置は、製造メーカー、機種によって高さが異なる。そこで例えば図３に示すように、台間柱３１に設けた錠止部材２の挿通孔３３を上下方向に長いものとすれば、鍵穴の位置に対応して前面枠当接部２２の上下方向の位置を調整して鍵穴の入り口を塞ぐことができる。このように、前面枠当接部２２を鍵穴に当接させることにより、鍵穴への鍵の挿入を防止し、かつ、錠止部材２が前面枠５の開放を防止するという２重のロックを施すことができる。なお、前面枠当接部２２を金属製としたような場合には、前面枠５に疵がついたりするので、これを防止するためスポンジ、ゴム板などのクッション体２３を配置するのが望ましい。
【００１２】
図４、５に、リール巻取装置１の内部構造を示す。リール巻取装置１は、支軸１１に装飾された巻取リール１２と、爪車１３とを有する。巻取リール１２には、索条４の一端が止着されて捲回されている。巻取リール１２は、ゼンマイバネ１５により索条４を捲き取る方向に付勢されている。
【００１３】
６は電動ロック機構であり、爪部材６１とソレノイド６２とからなる。爪部材６１は、支軸６３を中心に上下方向に回動するが、ソレノイド６２が通電状態では、プランジャ６４が後退しており、爪部材６１の後端が自重により降下し先端が上昇している。これによって爪車１３の外周の凹部１４には、爪部材６１の先端が、図４に示すように、斜めに入り込んでいて、図において右回りの回転を規制する。この状態では巻取リール１２は、索条４を捲き取る左回りには回転できるが、爪部材６１のロック作用により索条４を引き出す右回りには回転することができない。
【００１４】
以上のように構成された不正開放防止装置においては、営業時間中に前面枠５を開放する必要が生じた場合には、ソレノイド６２の通電を停止してプランジャ６４を突出させると爪部材６１の後端が押し上げられ先端が降下されて凹部１４から外れる。これによって、巻取リール１２を右回りに回転させて索条４を引き出すことができるので、索条４を緩めて前面枠５を開放することができる。
【００１５】
一方、ソレノイド６２を作動させプランジャ６４を後退させることにより爪部材６１の先端が凹部１４に食い込み巻取リール１２の逆回転を阻止するので、前面枠当接部２２に当接された状態の錠止部材２を引き出すことはできない。この状態で巻取リール１２によって索条を巻き取り錠止部材２の前面枠当接部２２を前面枠５に当接させることによって、前面枠５を開放不能に維持することができる。したがって、営業時間外に不審者が前面枠５を開放して不正を働こうとしても不正を働くことはできない。
【００１６】
なお、図５に示した錠止部材２は、前面枠当接部２２をヒンジにより９０°後方に折り曲げ可能としたので、点検が終了したときなどに前面枠５を閉じようとしたときに、作業員が誤って前面枠当接部２２に前面を衝突させても、その折り畳みによって衝突を回避することができるので、高価な遊技機を破損させたりすることがない。
【００１７】
本発明の不正開放防止装置は、島台や台間柱に遊技機とは切り離して設置することができるので、新台の入れ替えが容易である。また、何ら遊技機の改造を行わないので、認証変更届けを提出して許認可を受ける手間がかからないという利点がある。
【図面の簡単な説明】
【００１８】
【図１】本発明の遊技機の不正開放防止装置の説明図である。
【図２】錠止部材を台間柱に挿通した状態を示す説明図である。
【図３】錠止部材を台間柱に挿通した状態を示す要部説明図である。
【図４】リール巻取機の内部構造を示す正面図である。
【図５】リール巻取機の内部構造を示す平面図である。
【図６】遊技機の正面図（ａ）、平面図（ｂ）、側面図（ｃ）である。
【符号の説明】
【００１９】
１  リール巻取装置、２  錠止部材、４  索条、２２前面枠当接部、５１  鍵穴
【図１】
2010110462.tif 000003
【図２】
2010110462.tif 000004
【図３】
2010110462.tif 000005
【図４】
2010110462.tif 000006
【図５】
2010110462.tif 000007
【図６】
2010110462.tif 000008